(57)【要約】【課題】デジタル放送の送受信装置および双方向リモコンを備えたＣＡＴＶシステムに関し、一般の放送番組をテレビ受信機で視聴中であっても、それとは異なるコンテンツ等を、見易い状態で手元にある双方向リモコンの表示部に表示できるものを提供する。【解決手段】デジタル放送送信装置１０で、番組Ａおよび番組Ｂのコンテンツ１１および１２に加え、リモコン専用コンテンツ１３を含んで多重化して送信する構成とする。このリモコン専用コンテンツ１３は、簡素なデータ構成のものであって、デジタル放送受信装置３０で前記多重化されたコンテンツを分離後、前記分離されたリモコン専用コンテンツ１３を双方向リモコン５０に送信して、前記双方向リモコン５０の表示部５０Ａに表示させるようにする。【選択図】図１
2005198061.tif 000002
【特許請求の範囲】
【請求項１】
デジタル放送送信装置から送信したコンテンツを、デジタル放送受信装置（ＳＴＢ）で受信し、そのコンテンツをテレビ受信機や双方向リモコンの表示部に表示させることができるＣＡＴＶシステムであって、前記デジタル放送送信装置は、放送番組のコンテンツに加えてリモコン専用コンテンツを含んで多重化して送信し、前記ＳＴＢで、前記デジタル放送送信装置からの多重化されたコンテンツを分離手段で分離後、送信手段で前記分離された放送番組のコンテンツは前記テレビ受信機に送信されて前記放送番組が前記テレビ受信機の表示部に表示され、また前記リモコン専用コンテンツは前記双方向リモコンに送信されて前記リモコン専用コンテンツが前記双方向リモコンの表示部に表示されることを特徴とするＣＡＴＶシステム。
【請求項２】
ＳＴＢは、記憶手段を備え、分離手段で得られたリモコン専用コンテンツを記憶すると共に、前記記憶されたリモコン専用コンテンツがデジタル放送送信装置からの受信時に対して時差をもって読み出されて双方向リモコンに送信されることを特徴とする請求項１記載のＣＡＴＶシステム。
【請求項３】
双方向リモコンが、記憶手段を備え、受信するリモコン専用コンテンツを前記記憶手段に記憶し、その記憶した前記リモコン専用コンテンツを、受信後に時差をもって表示部に表示可能としたことを特徴とする請求項１記載のＣＡＴＶシステム。
【請求項４】
ＳＴＢを、複数のチューナ機能を備えたものとし、その内の１つを、デジタル放送送信装置からの多重化された信号の中でリモコン専用コンテンツを含む周波数を選択する設定としてある請求項１記載のＣＡＴＶシステム。
【発明の詳細な説明】
【技術分野】
【０００１】
本発明は、デジタル放送の送受信装置および双方向リモコンを備えたＣＡＴＶシステムに関するものである。
【背景技術】
【０００２】
近年のＢＳデジタル放送やＣＳデジタル放送では、多チャネル化され、多くの放送番組の中から視聴者が希望する番組を選択できるように電子番組ガイド（ＥＰＧ）や、番組以外に天気予報、ニュースなどのデータ放送サービス等が実用化されている。
【０００３】
また、ＣＡＴＶシステムでは、ＢＳデジタル放送やＣＳデジタル放送の番組を再多重し、さらに、例えばビデオオンデマンド放送（以下、ＶＯＤ放送と言う）などの有料放送番組の送信も行われるようになっており、視聴者はテレビ画面を見ながらリモコン操作を行うことにより、各種放送が視聴できるようになってきた。
【０００４】
このような従来のＣＡＴＶシステムについて、図５を用いて説明する。
【０００５】
図５は従来のＣＡＴＶシステムの構成を示すブロック図であり、同図において、１はデジタル放送送信装置、２はＣＡＴＶ伝送路、３はデジタル放送受信装置（以下、ＳＴＢと言う）、４はテレビ受信機、５はＳＴＢ３に対し所望操作を行うための双方向リモコンである。
【０００６】
デジタル放送送信装置１は、例えば一般の放送番組、ＥＰＧなどのデータ放送サービス、ＶＯＤ放送のコンテンツを複数のトランスポートストリームとして多重化し、それぞれのトランスポートストリームをデジタル変調した後、搬送波とし、ＣＡＴＶ伝送路２を介してＳＴＢ３に送信する。
【０００７】
ＳＴＢ３は、多重化されたコンテンツから目的のコンテンツを分離してテレビ受信機４に送る送信機能を備え、視聴者は、双方向リモコン５を操作してＳＴＢ３を制御し、見たい番組や各種サービス情報をテレビ受信機４上で視聴することができる構成となっていた。
【０００８】
なお、この出願の発明に関連する先行技術文献情報としては、例えば、特許文献１が知られている。
【特許文献１】特開平１０−２７１３５９号公報
【発明の開示】
【発明が解決しようとする課題】
【０００９】
しかしながら、従来のＣＡＴＶシステムでは、ＳＴＢ３のチューナが１基のみである場合には、一般の放送番組とその放送番組とは関連のない異なるチャネルの放送、例えばＶＯＤ放送は同時に受信することができなかったため、ＶＯＤ放送を視聴しようとすると、視聴者は、視聴中の一般の放送番組からＶＯＤ放送のために設定されたサービス情報（映画の題名一覧、新着情報や映画の購入画面など）や映画のプレビュー放送画面等のチャネルを選択して、テレビ受信機４の表示画面を切り換えざるを得なかった。
【００１０】
また、チューナが複数搭載されたＳＴＢ３である場合では、視聴している放送番組とは異なるチャネルのＶＯＤ放送の画面を、テレビ受信機４の画面内に子画面で同時に表示させたり、双方向リモコン５の表示部に写すことも可能ではあったが、一般の放送番組に相当する情報容量で構成されるＶＯＤ放送のサービス情報は、前記子画面や双方向リモコン５の表示部の表示では確認し難く、結果的に、視聴中の一般の放送番組を子画面化するなど、テレビ受信機４の表示画面を前記同様の状態に切り換えざるを得なかった。
【００１１】
本発明は、このような従来の課題を解決するものであり、一般の番組をテレビ受信機で視聴中であっても、ＶＯＤ放送のサービス情報に代表されるようなコンテンツが、見易い状態で手元にある双方向リモコンの表示部に表示できて各種設定等が行えるＣＡＴＶシステムを提供することを目的とする。
【課題を解決するための手段】
【００１２】
前記目的を達成するために本発明は、以下の構成を有するものである。
【００１３】
本発明の請求項１に記載の発明は、デジタル放送送信装置から送信したコンテンツを、デジタル放送受信装置（ＳＴＢ）で受信し、そのコンテンツをテレビ受信機や双方向リモコンの表示部に表示させることができるＣＡＴＶシステムであって、前記デジタル放送送信装置は、放送番組のコンテンツに加えてリモコン専用コンテンツを含んで多重化して送信し、前記ＳＴＢで、前記デジタル放送送信装置からの多重化されたコンテンツを分離手段で分離後、送信手段で前記分離された放送番組のコンテンツは前記テレビ受信機に送信されて前記放送番組が前記テレビ受信機の表示部に表示され、また前記リモコン専用コンテンツは前記双方向リモコンに送信されて前記リモコン専用コンテンツが前記双方向リモコンの表示部に表示されることを特徴とするＣＡＴＶシステムとしたものである。
【００１４】
この構成であれば、双方向リモコンの表示部には、それに応じたリモコン専用コンテンツが見易く表示されるものにできる。例えば、リモコン専用コンテンツを、ビデオオンデマンド放送（ＶＯＤ放送）のサービス情報における主要情報をアレンジして構成したものとすると、使用者が一般の放送番組を視聴中であっても、テレビ受信機の表示画面内にＶＯＤ放送のサービス情報などを表示させることなく、見易い状態で手元にある双方向リモコンの表示部内に表示されるリモコン専用コンテンツで、その内容等を容易に把握できて各種設定が行えるものにできるという作用を有する。
【００１５】
また、リモコン専用コンテンツのデータ容量を、通常の放送番組のコンテンツに対し、少ない容量に構成することによって、双方向リモコンとＳＴＢ間の通信時間も短くなり、互いの送受信部としても高速の通信速度のものを必要とせずに簡素なもので済み、また、デジタル放送送信装置の多重化も容易になるという作用も有する。
【００１６】
さらにデータ放送サービスの場合には、例えば、ＥＰＧ等をリモコン専用コンテンツとして送信することによって、視聴中のテレビの画面内容を妨げることなく手元に有る双方向リモコンでＥＰＧ等が確認できるという作用も有する。
【００１７】
請求項２に記載の発明は、請求項１記載の発明において、ＳＴＢは、記憶手段を備え、分離手段で得られたリモコン専用コンテンツを記憶すると共に、前記記憶されたリモコン専用コンテンツがデジタル放送送信装置からの受信時に対して時差をもって読み出されて双方向リモコンに送信されることを特徴とするものであり、ＳＴＢに記憶されているリモコン専用コンテンツを、双方向リモコンから送信要求することで、双方向リモコンの表示部に所望の時に表示することができ、利便性が向上するという作用を有する。
【００１８】
また、この構成においては、リモコン専用コンテンツを記憶手段で少しずつ蓄積し、取得完了後の所望の時にその内容の確認ができるようにもなるという作用も有する。
【００１９】
請求項３に記載の発明は、請求項１記載の発明において、双方向リモコンが、記憶手段を備え、受信するリモコン専用コンテンツを前記記憶手段に記憶し、その記憶した前記リモコン専用コンテンツを、受信後に時差をもって表示部に表示可能としたことを特徴とするものであり、ＳＴＢの電源がＯＦＦ状態であっても、双方向リモコン単独で、記憶しているリモコン専用コンテンツの内容確認が可能となるという作用を有する。
【００２０】
請求項４に記載の発明は、請求項１記載の発明において、ＳＴＢを、複数のチューナ機能を備えたものとし、その内の１つを、デジタル放送送信装置からの多重化された信号の中でリモコン専用コンテンツを含む周波数を選択する設定としてあるものであり、リモコン専用コンテンツを１つの搬送波のみに含めるだけでよくなり、デジタル放送送信装置での多重化時にリモコン専用コンテンツの冗長度がなくなるという作用を有する。
【発明の効果】
【００２１】
以上のように本発明によれば、一般の放送番組をテレビ受信機で視聴中であっても、それまで視聴していた番組の表示画面を潰すこと等なく、ＶＯＤ放送のサービス情報に代表されるようなコンテンツが、見易い状態で手元になる双方向リモコンの表示部に表示でき、その見易い状態に表示された内容を視認しつつ各種設定等が行えてＶＯＤ放送やＥＰＧに代表される各種サービス等が利用できる使い易いＣＡＴＶシステムが実現できるという有利な効果が得られる。
【発明を実施するための最良の形態】
【００２２】
以下、本発明の実施の形態について、図１〜図４を用いて説明する。
【００２３】
（実施の形態１）
実施の形態１を用いて、本発明の特に請求項１記載の発明について説明する。
【００２４】
図１は本発明の第１の実施の形態によるＣＡＴＶシステムの構成を示すブロック図であり、同図に示すように、当該実施の形態１によるＣＡＴＶシステムは、デジタル放送送信装置１０、ＣＡＴＶシステム伝送路１０Ａ、デジタル放送受信装置３０（以下ＳＴＢ３０と言う）、テレビ受信機４０、双方向リモコン５０から構成されている。
【００２５】
そして、前記デジタル放送送信装置１０は、同図に示すように、一般の放送番組である番組Ａのコンテンツ１１、同じく番組Ｂのコンテンツ１２、リモコン専用コンテンツ１３、ビデオオンデマンド放送１６（以下、ＶＯＤ放送１６と言う）が、所定の組み合わせ状態として各々入力される第１および第２の多重化部１４および１７と、それら各々の出力である第１および第２のトランスポートストリーム１４Ａおよび１７Ａが、それぞれ入力される第１および第２のデジタル変調部１５および１８と、その第１および第２のデジタル変調部１５および１８から搬送波１５Ａおよび１８Ａが入力される周波数多重部１９とを備えている。
【００２６】
前記ＳＴＢ３０は、チューナ３１Ａ、復調部３１Ｂ、多重分離部３２、テレビ用送信部３３、リモコン用送受信部３４とを備えている。
【００２７】
また、テレビ受信機４０は表示部４０Ａを有し、双方向リモコン５０は、表示部５０Ａと入力操作部５０Ｂとを備えている。
【００２８】
そして、当該実施の形態１によるものは、デジタル放送送信装置１０内で前記リモコン専用コンテンツ１３を含めて送信されている点が、従来のものと大きく異なり、そのリモコン専用コンテンツ１３は、各番組のコンテンツ１１，１２などよりも、データ容量が少ない構成とされている。
【００２９】
以下、リモコン専用コンテンツ１３がＶＯＤ放送１６のサービス情報（映画の題名一覧、新着情報や映画の購入画面など）において要部が抜粋されて構成された簡素なデータ構成としてあるものを事例として、当該実施の形態１のＣＡＴＶシステムの動作を説明する。
【００３０】
まず、デジタル放送送信装置１０の中で、一般の放送番組である番組Ａおよび番組Ｂのコンテンツ１１および１２とリモコン専用コンテンツ１３とを含めて、第１の多重化部１４で多重化し、１チャネル分の第１のトランスポートストリーム１４Ａを作製する。
【００３１】
この第１のトランスポートストリーム１４Ａは、第１のデジタル変調部１５に入力されて変調され、この第１のトランスポートストリーム１４Ａに応じた第１の搬送波１５Ａが、周波数多重部１９に入力される。
【００３２】
また同様に、有料放送番組であるＶＯＤ放送１６とリモコン専用コンテンツ１３とを第２の多重化部１７で多重化し、１チャネル分の第２のトランスポートストリーム１７Ａを作製する。
【００３３】
そして、第２のトランスポートストリーム１７Ａは、第２のデジタル変調部１８に入力されて変調され、この第２のトランスポートストリーム１７Ａに応じた第２の搬送波１８Ａも、前記第１の搬送波１５Ａと同様に周波数多重部１９に入力される。
【００３４】
なお、リモコン専用コンテンツ１３は、上述したように、ＶＯＤ放送１６を視聴するために設定されたサービス情報（映画の題名一覧、新着情報や映画の購入画面など）が、加工されてテキスト情報を主とする簡素なデータ構成のものとなっている。
【００３５】
そして、周波数多重部１９で、前記２つの搬送波１５Ａと１８Ａとが、多重化され、この多重化された２チャネル分の搬送波がデジタル放送送信装置１０からＣＡＴＶ伝送路１０Ａを介して送信される。
【００３６】
そして、ＳＴＢ３０では、前記デジタル放送送信装置１０からの送信信号を、チューナ３１Ａで受信すると共に搬送波が選択されて復調部３１Ｂで復調され、１チャネル分のトランスポートストリームが得られる。
【００３７】
さらに、前記で得られた１チャネル分のトランスポートストリームは、多重分離部３２でコンテンツの分離が行われ、分離されたコンテンツは、内容に応じてテレビ用送信部３３とリモコン用送受信部３４とに各々伝達され、テレビ受信機４０と双方向リモコン５０は、それぞれ受け取ったコンテンツ内容を各表示部４０Ａと５０Ａに表示する。
【００３８】
このとき、ＳＴＢ３０に対し、双方向リモコン５０への操作で番組Ａを選択指示すると、ＳＴＢ３０のチューナ３１Ａでは、トランスポートストリーム１４Ａのチャネルに対応する搬送波１５Ａの周波数が選択されて復調部３１Ｂで復調される。
【００３９】
そして、多重分離部３２で分離された番組Ａのコンテンツ１１が、テレビ用送信部３３に送られると共に、リモコン専用コンテンツ１３はリモコン用送受信部３４に送られる。
【００４０】
このときテレビ用送信部３３からは、所望の番組Ａのコンテンツ１１が送信されてテレビ受信機４０の表示部４０Ａで番組Ａが視聴できる。
【００４１】
一方、リモコン専用コンテンツ１３は、リモコン用送受信部３４に送られて双方向リモコン５０に送信され、双方向リモコン５０の表示部５０Ａには、番組Ａとは関係のないＶＯＤ放送１６のサービス情報に相当する内容が表示される。
【００４２】
そのリモコン専用コンテンツ１３は、双方向リモコン５０の表示部５０Ａに応じた簡素なデータ構成としてあるので、その内容は視認し易く、かつ内容の把握も容易である。
【００４３】
このように、視聴者は、テレビ受信機４０で番組Ａを視聴している間であっても、テレビ受信機４０の表示画面を切り換えずに、そのままの状態で双方向リモコン５０の表示部５０Ａに表示されるＶＯＤ放送１６のサービス情報内容を容易に確認等が行えるようになる。
【００４４】
その後、視聴者がテレビ受信機４０で番組Ａを視聴し続ける場合には、何等操作は必要ないが、番組Ａの代わりに視聴したい映画などが発見できた際に、視聴者は、双方向リモコン５０の入力操作部５０Ｂで所定操作を行いつつ双方向リモコン５０の表示部４０Ａ内容を切り換えていき、希望する映画の課金画面で購入申し込みを行う。
【００４５】
それらの双方向リモコン５０の表示部５０Ａ内に表示される内容も、リモコン専用コンテンツ１３として構成され、それらが見易い状態で表示されるので、視認し易く操作性の向上も図れる。
【００４６】
なお、前記双方向リモコン５０からの購入申し込み信号は、リモコン用送受信部３４で受信されて、ＳＴＢ３０およびデジタル放送送信装置１０の制御部（図示せず）などを介してＶＯＤ放送１６の供給元まで伝達され、希望する映画放送の送信が始まる。
【００４７】
一方、前記双方向リモコン５０で希望する映画の購入申し込みがなされた際に、その信号を判別したＳＴＢ３０の制御部は、チューナ３１ＡをＶＯＤ放送１６に対応するチャネルに切り換える。
【００４８】
そして、前記希望された映画放送は、デジタル放送送信装置１０の第２の多重化部１７に送信され、リモコン専用コンテンツ１３などと第２のトランスポートストリーム１７Ａに多重化され、前記同様にデジタル放送送信装置１０やＳＴＢ３０での信号処理がなされて、ＳＴＢ３０のテレビ用送信部３３から送信され、テレビ受信機４０の表示部４０Ａで視聴可能となる。
【００４９】
以上のように、当該実施の形態１によるものは、視聴中のテレビ受信機４０の表示画面をＶＯＤ放送１６等に対応する画面に切り換えずとも、双方向リモコン５０の表示部５０Ａ内のみで、その内容を容易に視認できて所定の設定等ができる使い易いものである。
【００５０】
なお、前記のようにリモコン専用コンテンツ１３を、データ容量を少なく構成しておくと、双方向リモコン５０とＳＴＢ３０間の通信時間も短くでき、互いの送受信部としても高速の通信速度のものを必要とせず、それらの構成も簡素なもので済む。それに加えて、デジタル放送送信装置１０としても、リモコン専用コンテンツ１３のデータ容量が少ないと、信号の多重化も容易になる。
【００５１】
そして、前記には、テレビ受信機４０で番組Ａを視聴し続ける状態としたままでの操作状態について説明したが、双方向リモコン５０の表示部５０Ａに表示されたリモコン専用コンテンツ１３内容を確認した時点で、双方向リモコン５０の入力操作部５０Ｂを操作してテレビ受信機４０の表示部４０Ａ画面をＶＯＤ放送１６に対応するチャネルに切り換えて、その後の設定を行ってもよい。
【００５２】
この場合には、前記双方向リモコン５０の操作で、ＳＴＢ３０のチューナ３１Ａがトランスポートストリーム１７Ａのチャネルに応じた搬送波１８Ａの選択をし、多重分離部３２は分離されたＶＯＤ放送１６におけるサービス情報やプレビュー放送をテレビ用送信部３３に送り、テレビ受信機４０の表示部４０Ａに表示させる。
【００５３】
なお、第２のトランスポートストリーム１７Ａは、リモコン専用コンテンツ１３を含んで多重化されているため、前記操作を行った場合でも、ＳＴＢ３０から双方向リモコン５０に対してリモコン専用コンテンツ１３の送信がなされているが、前記の操作状態になされた際、必要に応じて、双方向リモコン５０の表示部５０Ａへの表示を停止させるようにしてもよい。
【００５４】
そして、視聴者は、テレビ受信機４０の表示部４０Ａに表示される画面内容または双方向リモコン５０の表示部５０Ａの表示内容を視認しつつ前記同様の操作で希望する映画放送の購入ができる。
【００５５】
この操作状態のときには、従来の場合と同じような使い方となるが、双方向リモコン５０の表示部５０Ａには、ＶＯＤ放送１６のサービス情報に応じた内容が、従来に対し見易い状態で表示されるので、テレビ受信機４０への画面切り換えが即座に判断できる。
【００５６】
なお、ＥＰＧ等に代表されるデータ放送サービスの場合、現在は、ＥＧＰをテレビ受信機４０の表示部４０Ａ内に表示させると、視聴中の放送番組が子画面に縮小表示され、ＥＰＧが画面内の残部に大きく表示されることが多い。このものに対しても、例えばＥＰＧ等をリモコン専用コンテンツ１３として送信する構成としておくと、視聴中の画面を妨げることなく、双方向リモコン５０の表示部５０Ａ内のみに前記ＥＰＧ等を表示させることが可能となる。
【００５７】
以上のように実施の形態１のＣＡＴＶシステムは、デジタル放送送信装置１０で、予め準備されたリモコン専用コンテンツ１３を含めて多重化し送信するようにしたため、ＳＴＢ３０を介してテレビ受信機４０で一般の番組を視聴中であっても、手元にある双方向リモコン５０の表示部５０Ａに、ＶＯＤ放送１６のサービス情報等で構成されるリモコン専用コンテンツ１３が見易い状態で表示されるものにできる。
【００５８】
これによって、視聴者は、テレビ受信機４０の表示内容を切り換えずとも、双方向リモコン５０の表示部５０Ａの表示内容で容易に判断して、必要に応じて、双方向リモコン５０から各種設定操作等が行える使い易いものにできる。
【００５９】
（実施の形態２）
実施の形態２を用いて、本発明の特に請求項２記載の発明について説明する。
【００６０】
なお、実施の形態１の構成と同一構成の部分には同一符号を付して、詳細な説明を省略する。
【００６１】
図２は本発明の第２の実施の形態によるＣＡＴＶシステムの構成を示すブロック図である。
【００６２】
同図に示すように、当該実施の形態２によるものは、前記実施の形態１によるものに対し、デジタル放送受信装置６０（以下ＳＴＢ６０と言う）の構成が異なっている。
【００６３】
そのＳＴＢ６０の内部構成は、実施の形態１による場合と同様に、チューナ３１Ａ、復調部３１Ｂ、多重分離部３２、テレビ用送信部３３、リモコン用送受信部３４を備えると共に、それらに加えて記憶部３５を有している。
【００６４】
なお、この記憶部３５は、他の機能と共用で使用されるものであってもよい。
【００６５】
その他のデジタル放送送信装置１０、ＣＡＴＶ伝送路１０Ａ、テレビ受信機４０、双方向リモコン５０の図示した構成部分は、前記実施の形態１によるものと同じである。
【００６６】
また、当該実施の形態２によるＣＡＴＶシステムのデジタル放送送信装置１０の動作内容は、実施の形態１によるものと同じであるため、その説明を省略する。
【００６７】
そして、ＳＴＢ６０では、ＣＡＴＶ伝送路１０Ａを介して入力されるデジタル放送送信装置１０からの信号を、チューナ３１Ａで受信、搬送波の選択をして復調部３１Ｂで復調し、１チャネル分のトランスポートストリームを得て、それが多重分離部３２で各コンテンツに分離される。
【００６８】
そして希望された放送番組のコンテンツがテレビ用送信部３３に送られてテレビ受信機４０の表示部４０Ａで視聴可能となることも実施の形態１によるものと同じである。
【００６９】
一方、リモコン専用コンテンツ１３は、記憶部３５を介してリモコン用送受信部３４に送られる構成となっている。
【００７０】
そして、視聴者が、リモコン専用コンテンツ１３の内容確認を行う際には、双方向リモコン５０の入力操作部５０Ｂへの所定操作で、記憶部３５にて記憶されている内容を読み出してリモコン用送受信部３４に送る送信要求操作を行う。
【００７１】
これにより、ＳＴＢ６０の制御部（図示せず）の制御で、記憶部３５にて記憶されているリモコン専用コンテンツ１３内容が、リモコン用送受信部３４に送られて送信され、双方向リモコン５０の表示部５０Ａにリモコン専用コンテンツ１３の内容表示がなされる。
【００７２】
なお、記憶部３５でリモコン専用コンテンツ１３内容を記憶すると共に、同時にその信号をリモコン用送受信部３４に送って送信するようにしてあってもよい。
【００７３】
また、ＳＴＢ６０の電源が入れられた際、即座に記憶部３５にて記憶されている内容、つまりリモコン専用コンテンツ１３が読み出されて双方向リモコン５０に送信され、その表示部５０Ａに表示される構成とすることも可能である。
【００７４】
そして、リモコン専用コンテンツ１３は、データ容量が少なく構成されているため、記憶部３５としての容量も、さほど大きいものを必要としない。
【００７５】
また、リモコン専用コンテンツ１３を記憶手段３５で少しずつ蓄積していくことも可能となる。
【００７６】
このように当該実施の形態２によれば、ＳＴＢ６０の記憶部３５に保存されたリモコン専用コンテンツ１３を、双方向リモコン５０からの送信要求によって、いつでも双方向リモコン５０の表示部５０Ａに表示できる利便性に優れたものとなる。
【００７７】
（実施の形態３）
実施の形態３を用いて、本発明の特に請求項３記載の発明について説明する。
【００７８】
なお、実施の形態１の構成と同一構成の部分には同一符号を付して、詳細な説明を省略する。
【００７９】
図３は本発明の第３の実施の形態によるＣＡＴＶシステムの構成を示すブロック図である。
【００８０】
同図に示すように、当該実施の形態３によるものは、前記実施の形態１によるものに対し、双方向リモコン７０の構成が異なっている。
【００８１】
この双方向リモコン７０は、表示部５０Ａ、入力操作部５０Ｂに加えて記憶部７１を備えたものとなっている。
【００８２】
その他のデジタル放送送信装置１０、ＣＡＴＶ伝送路１０Ａ、ＳＴＢ３０、テレビ受信機４０の図示した構成部分は、前記実施の形態１によるものと同じである。また、当該実施の形態３によるＣＡＴＶシステムにおけるデジタル放送送信装置１０、ＳＴＢ３０、テレビ受信機４０の動作なども、実施の形態１によるものと同じであるため、説明を省略する。
【００８３】
そして、当該実施の形態３によるものは、双方向リモコン７０が、ＳＴＢ３０のリモコン用送受信部３４から送信されたリモコン専用コンテンツ１３を受信して記憶部７１に記憶可能な構成となっている。
【００８４】
そして、当該双方向リモコン７０に記憶されたリモコン専用コンテンツ１３は、入力操作部５０Ｂでの表示操作をすることによって記憶部７１から読み出され、表示部５０Ａにリモコン専用コンテンツ１３内容の表示がなされるようになっている。
【００８５】
このように実施の形態３のものによれば、ＳＴＢ３０の電源がＯＦＦ状態である場合でも、双方向リモコン７０単独で、取り込んでおいた記憶部７１のリモコン専用コンテンツ１３内容が入力操作部５０Ｂへの所定操作で、随時、表示部５０Ａ内に表示できるものが実現できる。
【００８６】
（実施の形態４）
実施の形態４を用いて、本発明の特に請求項４記載の発明について説明する。
【００８７】
なお、実施の形態１の構成と同一構成の部分には同一符号を付して、詳細な説明を省略する。
【００８８】
図４は本発明の第４の実施の形態によるＣＡＴＶシステムの構成を示すブロック図である。
【００８９】
同図に示すように、当該実施の形態４によるものは、前記実施の形態１によるものに対し、リモコン専用コンテンツ１３を、デジタル放送送信装置８０内で第２の多重化部１７のみに送って多重化する構成とした点が異なっている。
【００９０】
つまり、リモコン専用コンテンツ１３は、第１のトランスポートストリーム１４Ａには多重化されておらず、第２のトランスポートストリーム１７Ａのみに多重化されている。
【００９１】
そして、各トランスポートストリーム１４Ａおよび１７Ａは、実施の形態１によるものと同様に、各デジタル変調部１５および１８で変調されて搬送波１５Ａおよび１８Ａとされて周波数多重部１９で多重化され、この２チャネル分の搬送波がデジタル放送送信装置８０から送信される。
【００９２】
一方、デジタル放送受信装置９０（以下ＳＴＢ９０と言う）も、実施の形態１によるものとは構成が異なっており、複数のチューナ機能および復調機能が併設されたものとなっている。
【００９３】
なお、以下は、同図に示したようにＳＴＢ９０のチューナ機能および復調機能が２つ並列的に配してあるものとして説明する。
【００９４】
そして、同図に示すように、前記デジタル放送送信装置８０から送られた信号は、ＳＴＢ９０の第１のチューナ９１Ａと第２のチューナ９２Ａとで同時に受信される。
【００９５】
このとき、第１のチューナ９１Ａで、トランスポートストリーム１４Ａのチャネルに対応する搬送波１５Ａの周波数が選択され、第１の復調部９１Ｂで、選択された搬送波１５Ａの復調がされて多重分離部３２に入力される。
【００９６】
また、第２のチューナ９２Ａで、トランスポートストリーム１７Ａのチャネルに対応する搬送波１８Ａの周波数が選択され、第２の復調部９２Ｂで、選択された搬送波１８Ａの復調がされて多重分離部３２に入力される。
【００９７】
そして、前記２つの復調信号は、多重分離部３２でコンテンツ毎に分離されて、リモコン専用コンテンツ１３はリモコン用送受信部３４に、他のコンテンツの中で所望のものがテレビ用送信部３３に送られ、双方向リモコン５０の表示部５０Ａおよびテレビ受信機４０の表示部４０Ａに各々送信された内容が表示される。
【００９８】
このように当該実施の形態４のものであっても、一般の放送番組をテレビ受信機４０で視聴中に、リモコン専用コンテンツ１３を、双方向リモコン５０の表示部５０Ａのみに表示させ、視聴者は、テレビ受信機４０の表示内容を切り換えずとも、手元にある双方向リモコン５０の表示部５０Ａに表示された内容を視認して、各種設定の操作等が行えるものである。
【００９９】
なお、当該実施の形態４によるものでは、ＳＴＢ９０に複数配されたチューナ機能と復調機能の内、一組をリモコン専用コンテンツ１３を含む信号を選択して復調させる設定としておくと、常時、リモコン専用コンテンツ１３が双方向リモコン５０の表示部５０Ａ内に表示されるようにできる。
【０１００】
その構成であれば、搬送波毎にリモコン専用コンテンツ１３を含めて多重化する必要がなくなるので、デジタル放送送信装置８０での多重化時にリモコン専用コンテンツ１３の冗長度がなくなり、デジタル放送送信装置８０側では特に有用である。
【０１０１】
なお、上記何れの実施の形態によるリモコン専用コンテンツ１３としては、文字情報のみ、動画や静止画等の画像情報のみ、またはそれらの組み合わせなど、対応するリモコンの表示部における表示状態で、視認し易いものであればよい。
【産業上の利用可能性】
【０１０２】
本発明によるＣＡＴＶシステムは、一般の放送番組をテレビ受信機で視聴中であっても、それまで視聴していた番組の表示画面を潰すこと等なく、ＶＯＤ放送のサービス情報に代表されるようなコンテンツが、見易い状態で手元にある双方向リモコンの表示部に表示できて各種設定等が行える使い易いものにできるという効果を有し、デジタル放送の送受信装置および双方向リモコンを備えたＣＡＴＶシステム等に有用である。
【図面の簡単な説明】
【０１０３】
【図１】本発明の第１の実施の形態によるＣＡＴＶシステムの構成を示すブロック図
【図２】本発明の第２の実施の形態によるＣＡＴＶシステムの構成を示すブロック図
【図３】本発明の第３の実施の形態によるＣＡＴＶシステムの構成を示すブロック図
【図４】本発明の第４の実施の形態によるＣＡＴＶシステムの構成を示すブロック図
【図５】従来のＣＡＴＶシステムの構成を示すブロック図
【符号の説明】
【０１０４】
１０，８０  デジタル放送送信装置
１０Ａ  ＣＡＴＶ伝送路
１１  番組Ａのコンテンツ
１２  番組Ｂのコンテンツ
１３  リモコン専用コンテンツ
１４  第１の多重化部
１４Ａ  第１のトランスポートストリーム
１５  第１のデジタル変調部
１５Ａ，１８Ａ  搬送波
１６  ビデオオンデマンド放送
１７  第２の多重化部
１７Ａ  第２のトランスポートストリーム
１８  第２のデジタル変調部
１９  周波数多重部
３０，６０，９０  デジタル放送受信装置
３１Ａ  チューナ
３１Ｂ  復調部
３２  多重分離部
３３  テレビ用送信部
３４  リモコン用送受信部
３５，７１  記憶部
４０  テレビ受信機
４０Ａ  テレビ受信機の表示部
５０，７０  双方向リモコン
５０Ａ  双方向リモコンの表示部
５０Ｂ  双方向リモコンの入力操作部
９１Ａ  第１のチューナ
９１Ｂ  第１の復調部
９２Ａ  第２のチューナ
９２Ｂ  第２の復調部
【図１】
2005198061.tif 000003
【図２】
2005198061.tif 000004
【図３】
2005198061.tif 000005
【図４】
2005198061.tif 000006
【図５】
2005198061.tif 000007